(57)【要約】【課題】小型化をしても磁気エネルギーが小さくなるのを抑制して、高音圧化を図ったスピーカ装置を提供することを目的としている。【解決手段】磁極部１０は、閉磁路磁性体１１と、磁石１２とを有し、閉磁路磁性体１１は、互いに対向する中央磁脚１１ａと２つの外磁脚１１ｂ、１１ｃとを有する日の字形状であって、第１の磁石１２ａを中央磁脚１１ａと当接させ、一方の外磁脚１１ｂとは間隔を空けて配置し、第２の磁石１２ｂを中央磁脚１１ａと当接させ、他方の外磁脚１１ｃとは隙間１６を空けて配置し、第１の磁石１２ａおよび第２の磁石１２ｂは、中央磁脚１１ａと２つの外磁脚１１ｂ、１１ｃの対向方向に磁気配向させ、第１の磁石１２ａと第２の磁石１２ｂは、中央磁脚１１ａ側の磁極が互いに同極になるように配置した構成である。【選択図】図４
2009267579.tif 000002
【特許請求の範囲】
【請求項１】
振動板と、
前記振動板に取り付けたボイスコイルと、
前記ボイスコイルの発生磁界と反発し、前記振動板を振動させる磁極部とを備え、
前記磁極部は、互いに対向する磁脚を有する閉磁路磁性体と、一方の前記磁脚との距離が他方の前記磁脚との距離よりも小さくなるように、前記磁脚の間に配置した磁石とを有し、
前記磁石は前記磁脚の対向方向に磁気配向させたスピーカ装置。
【請求項２】
前記磁石は、一方の前記磁脚とは当接させ、他方の前記磁脚とは隙間を空けて配置したスピーカ装置。
【請求項３】
前記磁極部の下面に配置し、前記磁極部を支持する非磁性体を設けた請求項１記載のスピーカ装置。
【請求項４】
前記ボイスコイルの端部を前記磁石と前記他方の磁脚との隙間に配置した請求項１記載のスピーカ装置。
【請求項５】
前記閉磁路磁性体は、中央磁脚と外磁脚とを有する日の字形状であって、前記中央磁脚と一方の外磁脚との間で、第１の前記磁石を前記中央磁脚との距離が一方の外磁脚との距離よりも小さくなるように配置し、前記中央磁脚と他方の外磁脚との間で、第２の前記磁石を前記中央磁脚との距離が他方の外磁脚との距離よりも小さくなるように配置し、第１の前記磁石と第２の前記磁石は、前記中央磁脚側の磁極が互いに同極になるように配置した請求項１記載のスピーカ装置。
【請求項６】
第１の前記磁石を前記中央磁脚と当接させ、一方の前記外磁脚とは間隔を空けて配置し、第２の前記磁石を前記中央磁脚と当接させ、他方の前記外磁脚とは間隔を空けて配置した請求項５記載のスピーカ装置。
【発明の詳細な説明】
【技術分野】
【０００１】
本発明は、小型のキャビネットで低音再生を実現するスピーカ装置に関するものである。
【背景技術】
【０００２】
以下、従来のスピーカ装置について説明する。
【０００３】
図５は従来のスピーカ装置の分解斜視図、図６は同スピーカ装置の断面図、図７は同スピーカ装置の磁気回路の斜視図である。
【０００４】
図５〜図７において、従来のスピーカ装置は、２個の棒状のマグネット２１を角型の上部プレート２２と角型の下部プレート２３とで挟持して磁気回路２４を構成している。この磁気回路２４は下部プレート２３に設けた棒状のセンターポール部２３ａをはさんでマグネット２１が平行に挟持され、上部プレート２２の角型形状の磁気ギャップ窓２２ａ内にポールピース部２３ａが内在する。そのため、ポールピース部２３ａと上部プレート２２間に平行な２つの直線部では磁気ギャップ２５を有する。
【０００５】
この磁気回路２４にフレーム２６を結合し、このフレーム２６の外周部に振動板２７を結合している。そして、この振動板２７にボイスコイル２８を結合し、このボイスコイル２８の一部が磁気回路２４の磁気ギャップ２５内に配置している。このフレーム２６の外周部には振動板２７を覆うようにプロテクタ２９を結合している。
【０００６】
この結果、２個の棒状マグネット２１を有し、その磁気ギャップ２５に直線部を有する外磁型の磁気回路の構成となるので、スペースの有効利用で小型化を図れるとともに、複数のマグネット２１により大きな磁気エネルギーを得て高音圧化が図れる。
【０００７】
なお、この出願の発明に関連する先行技術文献情報としては、例えば、特許文献１が知られている。
【特許文献１】特開２００４−２６６３３７号公報
【発明の開示】
【発明が解決しようとする課題】
【０００８】
しかし、上記構成では、２個の棒状マグネット２１を用いた磁気回路ギャップを形成して小型化を図れるものの、小型化をすればするほど磁気エネルギーが小さくなって、音圧が低下するという問題点を有している。
【０００９】
本発明は小型化をしても磁気エネルギーが小さくなるのを抑制して、高音圧化を図ったスピーカ装置を提供することを目的としている。
【課題を解決するための手段】
【００１０】
上記目的を達成するために本発明は、特に、磁極部は、互いに対向する磁脚を有する閉磁路磁性体と、一方の前記磁脚との距離が他方の前記磁脚との距離よりも小さくなるように、前記磁脚の間に配置した磁石とを有し、前記磁石は前記磁脚の対向方向に磁気配向させた構成である。
【発明の効果】
【００１１】
上記構成により、磁石は磁脚の対向方向に磁気配向させているので、磁極部の厚みを薄くするために磁石の厚みを薄くしても、磁力の低下を抑制できる。減磁界の影響は、減磁界と磁束密度の比のパーミアン係数で表されるが、この減磁界の量は磁石の配向方向の距離が短くなると大きい。本発明では、磁石を薄くしても、磁石の配向方向の距離に影響を与えないように磁石の磁気配向を磁脚の対向方向としているので、減磁界の影響をほとんど受けず、磁気エネルギーの減少を抑制できる。よって、磁極部を薄くして低背化を図っても、高音圧化を図ることができる。
【発明を実施するための最良の形態】
【００１２】
以下、本発明の一実施の形態のスピーカ装置について図面を参照しながら説明する。
【００１３】
図１は、本スピーカ装置を搭載した携帯電話の斜視図である。図１において、１は電話機本体で、この電話機本体１にはディスプレイ本体２が開閉自在に結合されている。この図１における正面側から見ると一般的な携帯電話と同じように電話機本体１には操作ボタン（図示せず）が設けられ、またディスプレイ本体２には液晶ディスプレイ（図示せず）が設けられている。また、電話機本体１の背面側にはスピーカ装置３が内蔵され、電話機本体１の外側面に設けた放音孔４から放音される。
【００１４】
スピーカ装置３は図２に示すように非磁性体からなるキャビネット５と蓋部６の前面の両端に放音孔７を有しており、キャビネット５と蓋部６で形成される振動空間に連通している。また、スピーカ装置３は蓋部６の上面の背面側近傍に端子板が設けられており、この端子板にボイスコイルの始終端が半田付けされる接合部８ａと、外部のアンプからの信号が入力される端子部８ｂを形成している。
【００１５】
スピーカ装置３は図３、図４に示すように、振動板１３に長円形状のボイスコイル１４が接合され、その外周の支持部１３ａがキャビネット５側の段部５ａ、５ｂの接合しろに接着剤により接合されている。これによって、振動板１３がキャビネット５に取り付けられる。
【００１６】
このキャビネット５には、蓋部６が組み合わされる。この蓋部６は端子板をインサート成形したコの字の枠形の蓋本体６ａと、この蓋本体６ａの上部窓を塞ぐ非磁性体の上蓋６ｂと、上記蓋本体６ａの前面窓中央を塞ぐ前蓋６ｃから構成されており、その前蓋６ｃの両端部に放音孔７を形成するための窓部を有する。
【００１７】
ボイスコイル１４とキャビネット５の底面との間には、ボイスコイル１４の発生磁界と反発し、振動板１３を振動させる磁極部１０とを配置している。この磁極部１０は、ヨークとして閉磁路磁性体１１と、磁石１２とを有する。閉磁路磁性体１１は、互いに対向する中央磁脚１１ａと２つの外磁脚１１ｂ、１１ｃとを有する日の字形状であって、中央磁脚１１ａと一方の外磁脚１１ｂとの間で、第１の磁石１２ａを中央磁脚１１ａとの距離が一方の外磁脚１１ｂとの距離よりも小さくなるように配置し、中央磁脚１１ａと他方の外磁脚１１ｃとの間で、第２の磁石１２ｂを中央磁脚１１ａとの距離が他方の外磁脚１１ｃとの距離よりも小さくなるように配置している。特に、第１の磁石１２ａを中央磁脚１１ａと当接させ、一方の外磁脚１１ｂとは間隔を空けて配置し、第２の磁石１２ｂを中央磁脚１１ａと当接させ、他方の外磁脚１１ｃとは隙間１６を空けて配置している。この隙間１６にはボイスコイル１４の端部を挿入しており、また、この磁極部１０の下面には磁極部１０を支持する非磁性体１５を配置している。
【００１８】
また、第１の磁石１２ａおよび第２の磁石１２ｂは、中央磁脚１１ａと２つの外磁脚１１ｂ、１１ｃの対向方向に磁気配向させており、第１の磁石１２ａと第２の磁石１２ｂは、中央磁脚１１ａ側の磁極が互いに同極（Ｎ極）になるように配置している。したがって、隙間には矢印の向きに磁力線が発生する。
【００１９】
上記構成により、第１の磁石１２ａおよび第２の磁石１２ｂは、中央磁脚１１ａと２つの外磁脚１１ｂ、１１ｃの対向方向に磁気配向させているので、磁極部１０の厚みを薄くするために第１の磁石１２ａおよび第２の磁石１２ｂの厚みを薄くしても、磁力の低下を抑制できる。減磁界の影響は、減磁界と磁束密度の比のパーミアン係数で表されるが、この減磁界の量は一般的に磁石の配向方向の距離が短くなると大きくなる。本発明では、第１の磁石１２ａおよび第２の磁石１２ｂを薄くしても、配向方向の距離に影響を与えないように磁気配向を中央磁脚１１ａと２つの外磁脚１１ｂ、１１ｃの対向方向としているので、減磁界の影響をほとんど受けず、磁気エネルギーの減少を抑制できる。よって、磁極部１０を薄くして低背化を図っても、高音圧化を図ることができる。
【００２０】
また、第１の磁石１２ａおよび第２の磁石１２ｂは、本実施の形態のように、中央磁脚１１ａに当接させずに、隙間を設けてもよい。第１の磁石１２ａを中央磁脚１１ａとの距離が一方の外磁脚１１ｂとの距離よりも小さくなるように配置し、中央磁脚１１ａと他方の外磁脚１１ｃとの間で、第２の磁石１０ｂを中央磁脚１１ａとの距離が他方の外磁脚１１ｃとの距離よりも小さくなるように配置すればよい。また、第１の磁石１２ａおよび第２の磁石１２ｂは非磁性体１５に配置して保持すればよい。
【００２１】
なお、閉磁路磁性体１１は方形状の日の字形状だけでなく、円形状や楕円形状の日の字形状でもよい。また、日の字形状ではなく、ロの字形状としてもよく、その場合は、第１の磁石１２ａおよび第２の磁石１２ｂの２つを用いずに一つを用いればよい。
【産業上の利用可能性】
【００２２】
本発明に係るスピーカ装置は、小型化をしても磁気エネルギーが小さくなるのを抑制して、高音圧化を図れ、携帯電話等の携帯機器に適用可能である。
【図面の簡単な説明】
【００２３】
【図１】本発明の一実施の形態におけるスピーカ装置を適用した携帯電話の斜視図
【図２】同スピーカ装置の斜視図
【図３】同スピーカ装置の分解斜視図
【図４】同スピーカ装置の磁極部の拡大斜視図
【図５】従来のスピーカ装置の分解斜視図
【図６】同スピーカ装置の断面図
【図７】同スピーカ装置の磁気回路の斜視図
【符号の説明】
【００２４】
１  電話機本体
２  ディスプレイ本体
３  スピーカ
４  放音孔
５  キャビネット
５ａ  段部
５ｂ  段部
６  蓋部
６ａ  蓋本体
６ｂ  上蓋
６ｃ  前蓋
７  放音孔
８ａ  接合部
８ｂ  端子部
１０  磁極部
１１  閉磁路磁性体
１１ａ  中央磁脚
１１ｂ  外磁脚
１１ｃ  外磁脚
１２  磁石
１２ａ  第１の磁石
１２ｂ  第２の磁石
１３  振動板
１３ａ  支持部
１４  ボイスコイル
１５  非磁性体
【図１】
2009267579.tif 000003
【図２】
2009267579.tif 000004
【図３】
2009267579.tif 000005
【図４】
2009267579.tif 000006
【図５】
2009267579.tif 000007
【図６】
2009267579.tif 000008
【図７】
2009267579.tif 000009